(57)【特許請求の範囲】
【請求項１】
外部インタフェース部と外部音声出力機器との接続状態に応じて、装置本体に内蔵された内蔵音声出力機器と前記外部インタフェース部との内の一方に音声信号を出力する切り替え部と、
自装置が備えている機能であって、出力する音声の音量をユーザが設定可能な機能それぞれについて、その機能に対してユーザが設定した音量を示すボリューム値が記録された記憶部と、
前記切り替え部によって前記音声信号の出力先が前記内蔵音声出力機器から前記外部インタフェース部に切り替えられたとき、前記音声信号のレベルを、前記記憶部に記録されているボリューム値の内の最も小さいボリューム値に対応したものにする制御部とを備えたことを特徴とする携帯端末装置。
【請求項２】
請求項１記載の携帯端末装置において、
前記制御部は、前記音声信号のレベルを前記記憶部に記録されているボリューム値の内の最も小さいボリューム値に対応したものにした後、ボタン入力部を構成する複数のボタンの内の、任意のボタンのボタン操作に従って、前記音声信号のレベルを所定量ずつ増加させるボリューム増加処理を実行することを特徴とする携帯端末装置。
【請求項３】
請求項２記載の携帯端末装置において、
前記制御部は、ボタン操作が一定時間行われなかった場合、前記ボリューム増加処理を終了することを特徴とする携帯端末装置。
【請求項４】
請求項２または３記載の携帯端末装置において、
前記制御部は、前記音声信号のレベルが所定レベルに達した場合、前記ボリューム増加処理を終了することを特徴とする携帯端末装置。
【請求項５】
請求項１乃至４の何れか１項に記載の携帯端末装置において、
表示部を備え、且つ、
前記制御部は、前記切り替え部によって音声信号の出力先が前記内蔵音声出力機器から前記外部インタフェース部に切り替えられたとき、前記表示部に音量の増加方法を表示することを特徴とする携帯端末装置。
【請求項６】
自装置が備えている機能であって、出力する音声の音量をユーザが設定可能な機能それぞれについて、その機能に対してユーザが設定した音量を示すボリューム値が記録された記憶部と、切り替え部と、制御部とを有する携帯端末装置が実行する音量制御方法であって、
前記切り替え部が、外部インタフェース部と外部音声出力機器との接続状態に応じて、装置本体に内蔵された内蔵音声出力機器と前記外部インタフェース部との内の一方に音声信号を出力し、
前記制御部が、前記切り替え部によって音声信号の出力先が前記内蔵音声出力機器から前記外部インタフェース部に切り替えられたとき、前記音声信号のレベルを、前記記憶部に記録されているボリューム値の内の最も小さいボリューム値に対応したものにすることを特徴とする音量制御方法。
【請求項７】
自装置が備えている機能であって、出力する音声の音量をユーザが設定可能な機能それぞれについて、その機能に対してユーザが設定した音量を示すボリューム値が記録された記憶部と、外部インタフェース部と外部音声出力機器との接続状態に応じて、装置本体に内蔵された内蔵音声出力機器と前記外部インタフェース部との内の一方に音声信号を出力する切り替え部とを備えたコンピュータを、
前記切り替え部によって音声信号の出力先が前記内蔵音声出力機器から前記外部インタフェース部に切り替えられたとき、前記音声信号のレベルを、前記記憶部に記録されているボリューム値の内の最も小さいボリューム値に対応したものにする制御部として機能させるためのプログラム。
【発明の詳細な説明】
【技術分野】
【０００１】
本発明は、携帯電話機、ＰＨＳ端末装置(Personal Handyphone System)、ＰＡＤ(Personal Data Assistance, Personal Digital Assistants)などの携帯端末装置に関する。
【背景技術】
【０００２】
近年、携帯電話機などの携帯端末装置は、多機能化が進んでおり、ワンセグ放送を視聴したり、ダウンロードした音楽を聴くことができるものがある。このような携帯端末装置は、一般に、本体に内蔵された内蔵スピーカと、イヤホンやヘッドホンなどの外部音声出力機器を接続する外部I/F部（外部インタフェース部）とを備えており、使用環境に応じて音声信号の出力先を内蔵スピーカと外部音声出力機器とに切り替えることができるようになっている。この切り替えは、外部音声出力機器のプラグを携帯端末装置のジャック（外部I/F部）に抜き差しすることにより行われる。
【０００３】
ところで、音声信号の出力先を内部スピーカからイヤホン等の外部音声出力機器に切り替える際には、ユーザの耳を傷めないようにするため、外部音声出力機器用にゲインを下げるようにしている。しかし、音声信号のレベルは、切り替え時に設定されていたボリューム値に対応したものとなるため、切り替え時に設定されていたボリューム値が大きいと、外部音声出力機器から出力される音量が大きくなり、ユーザを驚かせてしまう場合がある。
【０００４】
このような問題点を解決するための技術として、次のような技術が知られている（例えば、特許文献１参照）。
【０００５】
特許文献１に記載されている技術は、音声信号の出力先を内蔵スピーカから外部音声出力機器に切り替える際、一旦、外部音声出力機器から出力される音量が弱音量となるように音声信号を減衰させ、その後、外部音声出力機器から出力される音量が、切り替え時に設定されていたボリューム値に対応する音量になるまで、音声信号のレベルを徐々に増加させるというものである。
【先行技術文献】
【特許文献】
【０００６】
【特許文献１】特開２００７−１３４８３１号公報
【発明の概要】
【発明が解決しようとする課題】
【０００７】
上述した特許文献１に記載されている技術によれば、内部スピーカから外部音声出力機器への切り替え時、外部音声出力機器から出力される音声の音量が弱音量となるように音声信号を減衰するようにしているので、切り替え時に設定されていたボリューム値が大きい場合であっても、外部音声出力機器から大音量が出力され、ユーザが驚くということはなくなる。
【０００８】
しかしながら、引用文献１に記載されている技術では、外部音声出力機器から出力される音量が、切り替え時に設定されていたボリューム値に対応した音量となるまで、音声信号のレベルを自動的に増加させているので、設定されているボリューム値が大きい場合、ユーザに音量が大き過ぎると感じさせてしまうことがあるという問題がある。
【０００９】
[本発明の目的]
そこで、本発明の目的は、音声信号の出力先を内蔵スピーカから外部音声出力機器に切り替える際に、ユーザに音量が大き過ぎると感じさせてしまうことがあるという課題を解決した携帯端末装置を提供することにある。
【課題を解決するための手段】
【００１０】
本発明にかかる第１の携帯端末装置は、
外部インタフェース部と外部音声出力機器との接続状態に応じて、装置本体に内蔵された内蔵音声出力機器と前記外部インタフェース部との内の一方に音声信号を出力する切り替え部と、
該切り替え部によって音声信号の出力先が前記内蔵音声出力機器から前記外部インタフェース部に切り替えられたとき、前記音声信号のレベルを低下させ、その後、ボタン入力部を構成する複数のボタンの内の、任意のボタンのボタン操作に従って、前記音声信号のレベルを所定量ずつ増加させるボリューム増加処理を実行する制御部とを備える。
【００１１】
本発明にかかる音量制御方法は、
切り替え部が、外部インタフェース部と外部音声出力機器との接続状態に応じて、装置本体に内蔵された内蔵音声出力機器と前記外部インタフェース部との内の一方に音声信号を出力し、
制御部が、前記切り替え部によって音声信号の出力先が前記内蔵音声出力機器から前記外部インタフェース部に切り替えられたとき、前記音声信号のレベルを低下させ、その後、ボタン入力部を構成する複数のボタンの内の、任意のボタンのボタン操作に従って、前記音声信号のレベルを所定量ずつ増加させるボリューム増加処理を実行する。
【００１２】
本発明にかかるプログラムは、
外部インタフェース部と外部音声出力機器との接続状態に応じて、装置本体に内蔵された内蔵音声出力機器と前記外部インタフェース部との内の一方に音声信号を出力する切り替え部を備えたコンピュータを、
前記切り替え部によって音声信号の出力先が前記内蔵音声出力機器から前記外部インタフェース部に切り替えられたとき、前記音声信号のレベルを低下させ、その後、ボタン入力部を構成する複数のボタンの内の、任意のボタンのボタン操作に従って、前記音声信号のレベルを所定量ずつ増加させるボリューム増加処理を実行する制御部として機能させる。
【発明の効果】
【００１３】
本発明によれば、音声信号の出力先を内蔵スピーカから外部音声出力機器に切り替える際、外部音声出力機器から出力される音声の音量を、操作性良く、ユーザが望む音量にすることができる。
【図面の簡単な説明】
【００１４】
【図１】本発明の第１の実施の形態にかかる携帯電話機の構成例を示すブロック図である。
【図２】外部音声出力機器を外部インタフェース部９に接続したときの制御手段２２の処理例を示すフローチャートである。
【図３】ボリューム増加処理を説明するための図である。
【図４】外部音声出力機器を外部インタフェース部９から取り外したときの制御手段２２の処理例を示すフローチャートである。
【図５】設定音量記憶部の内容例を示す図である。
【図６】制御手段２２が第２の実施の形態で行う処理の内、第１の実施の形態で行う処理とは異なる部分を示したフローチャートである。
【発明を実施するための形態】
【００１５】
次に、本発明の実施の形態について、図面を参照して詳細に説明する。
【００１６】
[本発明の第１の実施の形態]
図１を参照すると、本発明の第１の実施の形態にかかる携帯電話機は、ボタン入力部１と、制御部２と、送受信部３と、アンテナ４と、データ記憶部５と、信号処理部６と、増幅部７と、切り替え部８と、イヤホン、ヘッドホン等の外部音声出力機器が接続されるプラグ等の外部インタフェース部（外部I/F部）９と、携帯電話機に内蔵されているスピーカ１０と、LCDなどの表示部１１とを備えている。
【００１７】
ボタン入力部１には、オンフック（終了）ボタン、オフフック（開始）ボタン、ダイヤル番号等の入力用ボタン、選択ボタン、ボリューム調整用ボタンなど、複数のボタンが設けられている。
【００１８】
制御部２は、携帯電話機の各部を制御するものであり、送受信部３、データ記憶部５、信号処理部６、増幅部７、切り替え部８、外部インタフェース部９、及び、表示部１１が接続されている。また、その内部には、押下ボタン判断手段２１、制御手段２２、検出手段２３、及び、通信制御手段２４が設けられている。
【００１９】
制御部２内の押下ボタン判断手段２１は、ボタン入力部１に設けられているボタンがユーザによって押下されたことを検出し、押下されたボタンを示す押下ボタン情報を制御手段２２に渡す機能を有する。
【００２０】
検出手段２３は、外部インタフェース部９にイヤホン、ヘッドホンなどの外部音声出力機器が接続されたことを検出する機能を有する。
【００２１】
通信制御手段２４は、発信制御、着信制御など、基地局との間の通信にかかわる各種制御を行う。
【００２２】
制御手段２２は、検出手段２３によって外部インタフェース部９に外部音声出力機器が接続されたことが検出されたとき、切り替え部８に対して音声信号の出力先をスピーカ１０から外部インタフェース部９に切り替えることを指示する機能や、増幅部７に対して外部音声出力機器接続時用の初期ボリューム値と出力先が外部インタフェース部９であることを示す出力先情報とを出力する機能を有する。なお、上記初期ボリューム値は、外部音声出力機器から出力される音声の音量を、ユーザの耳を傷めたり、ユーザを驚かせたりしない程度の音量とすることができる値であれば良い。更に、制御手段２２は、押下ボタン判断手段２１から押下ボタン情報が入力される毎に、前回指示したボリューム値よりも１段階上のボリューム値を増幅部７に対して指示するというボリューム増加処理を行う機能を有する。但し、予め定められている時間、押下ボタン判断手段２１から押下ボタン情報が入力されなかった場合は、ボリューム増加処理を終了する。更に、制御手段２２は、信号処理部６に音声信号を入力したり、表示部１１にデータを表示する機能等を有している。
【００２３】
また、制御手段２２は、検出手段２３によって外部インタフェース部９から外部音声出力機器が取り外されたことが検出されたとき、切り替え部８に対して音声信号の出力先を外部インタフェース部９からスピーカ１０に切り替えることを指示する機能や、増幅部７に対して、スピーカ１０から外部音声出力機器への切り替え時に設定されていたボリューム値と出力先がスピーカ１０であることを示す出力先情報とを出力する機能を有する。
【００２４】
信号処理部６は、制御部２から入力されるデジタル音声信号をアナログの音声信号に変換して増幅部７に出力する機能などを有する。
【００２５】
増幅部７は、信号処理部６から入力された音声信号を、制御部２から入力されたボリューム値と出力先情報とに応じたゲインで増幅して切り替え部８に出力する機能を有する。
【００２６】
切り替え部８は、制御部２の指示に従って、増幅部７から供給された音声信号を外部インタフェース部９とスピーカ１０との内の一方に出力する機能を有する。
【００２７】
送受信部３は、無線基地局との間での電波の送受信を制御する機能を有する。アンテナ４は、実際に電波を送受信する機能を有する。
【００２８】
なお、制御部２はCPU（中央処理装置）によって実現可能であり、CPUによって実現する場合は、例えば、次のようにする。CPUを制御部２として機能させるためのプログラムを記録したディスク、半導体メモリ、その他の記録媒体を用意し、CPUに上記プログラムを読み取らせる。CPUは、読み取ったプログラムに従って自身の動作を制御することにより、自CPU上に押下ボタン判断手段２１、制御手段２２、検出手段２３、および、通信制御手段２４を実現する。
【００２９】
次に、本実施の形態の動作について、詳細に説明する。
【００３０】
先ず、外部インタフェース部９に、イヤホン、ヘッドホン等の外部音声出力機器が接続された場合の動作について説明する。
【００３１】
ユーザは、イヤホン等の外部音声出力機器を利用して音楽などを聴く場合には、先ず、外部インタフェース部９に外部音声出力機器を接続する。その後、外部音声機器から出力される音声の音量を大きくする場合には、ボタン入力部１に設けられている任意のボタンを押下する。後述するように、外部音声出力機器から出力される音声の音量は、ユーザがボタンを押下する毎に、所定量ずつ大きくなっていく。
【００３２】
検出手段２３は、外部インタフェース部９に外部音声出力機器が接続されたことを検出すると、制御手段２２に対してその旨を通知する。
【００３３】
これにより、制御手段２２は、図２のフローチャートに示すように、増幅部７に対して外部音声出力機器接続時の初期ボリューム値と、音声信号の出力先が外部音声出力機器であることを示す出力先情報とを出力する（ステップＳ２１）。これにより、増幅部７は、外部音声出力機器から出力される音声の音量が上記初期ボリューム値によって示される音量となるように、音声信号のレベルを変更する。
【００３４】
次に、制御手段２２は、切り替え部８に対して、音声信号の出力先をスピーカ１０から外部インタフェース部９に切り替えることを指示する（ステップＳ２２）。これにより、切り替え部８は、増幅部７から供給される音声信号を、外部インタフェース部９へ出力する。
【００３５】
その後、制御手段２２は、ボリューム増加処理終了用タイマ（VOLタイマ）を起動する（ステップＳ２３）。このVOLタイマは、ボリューム増加処理を終了させるか否かを判定するために利用される。また、VOLタイマのタイムアウト時間は、ここでは特に指定しないが、ユーザがストレスを感じない程度の時間とすることが望ましい。タイムアウト時間が短過ぎる場合は、ボタンの押下間隔がタイムアウト時間よりも長くなると、ボリューム増加処理が終了するので、外部音声出力機器から出力される音声の音量がユーザの希望する音量に達する前にボリューム増加処理が終了してしまう危険性が高くなる。また、これとは反対に、タイムアウト時間が長過ぎる場合は、最後にボタンを押下してからタイムアウト時間が経過するまでは、ボタン入力部１に設けられている全てのボタンはボリューム増加処理のためだけに利用されるので、ユーザがボリューム増加処理以外の処理（例えば、受信チャネルの変更処理など）を携帯電話機に行わせようとしても、なかなかその処理が行われない危険性が高くなる。ストレスの感じ方には個人差があるため、タイムアウト時間は、ユーザによって設定可能にしておくことが望ましい。
【００３６】
その後、制御手段２２は、増幅部７に対して出力したボリューム値が最大値であるか否かを判定する（ステップＳ２４）。
【００３７】
そして、最大値であると判定した場合（ステップＳ２４がYES）は、制御手段２２は、VOLタイマを停止させた後（ステップＳ２９）、ボリューム増加処理を終了する。なお、ボリューム増加処理終了後に、外部音声出力機器から出力される音量を調整する場合には、携帯電話機に設けられている音量調整ボタンを操作すれば良い。
【００３８】
これに対して、最大値に達していないと判定した場合（ステップＳ２４がNO）は、VOLタイマがタイムアウトしているか否かを判定する（ステップＳ２５）。
【００３９】
そして、タイムアウトしていると判定した場合（ステップＳ２５がYES）は、前述したステップＳ２９の処理を行った後、ボリューム増加処理を終了する。これに対して、タイムアウトしていないと判定した場合（ステップＳ２５がNO）は、ユーザがボタン入力部１に設けられている何れかのボタンを押下したか否かを判定する（ステップＳ２６）。この判定は、押下ボタン判断手段２１から入力される押下ボタン情報に基づいて行う。
【００４０】
そして、ステップＳ２６でボタンが押下されていないと判定した場合（ステップＳ２６がNO）は、制御手段２２は、ステップＳ２４の処理に戻る。
【００４１】
これに対して、ボタンが押下されていると判定した場合（ステップＳ２６がYES）は、前回増幅部７に対して出力したボリューム値よりも１段階アップしたボリューム値を増幅部７に対して出力する（ステップＳ２７）。例えば、前回、増幅部７に対して出力したボリューム値が「レベル２」であるならば、ボリューム値「レベル３」を増幅部７に対して出力する。これにより、増幅部７は、外部音声出力機器から出力される音声の音量がボリューム値「レベル３」に対応するものとなるように、音声信号のレベルを上げる。その後、制御手段２２は、VOLタイマを再起動し（ステップＳ２８）、ステップＳ２４の処理に戻る。このように、本実施の形態では、ユーザがボタン入力部１に設けられている任意のボタンを押下するだけで、外部音声出力機器から出力される音量を所定量増加させることができるので、携帯電話機に設けられているボリューム調整用ボタンでしか音量調整を行えない場合に比較して、操作良く、外部音声出力機器から出力される音声の音量をユーザが望むものにすることができる。
【００４２】
次に、具体例を挙げて本実施の形態の動作について説明する。今、ボリューム値がレベル０〜レベル１０の１１段階ある携帯電話機でワンセグ放送をボリューム値「レベル８」で視聴中に、イヤホンを外部インタフェース部９に接続したとする。
【００４３】
図３に示すように、時刻t1において、ユーザがイヤホンを外部インタフェース部９に接続すると、前述したステップＳ２１、Ｓ２２の処理が行われ、音声出力の出力先がイヤホンに切り替えられると共に、イヤホンから出力される音声の音量が初期ボリューム値（図３では、「レベル２」）に応じたものとなる。
【００４４】
その後、ユーザが時刻t2,t3,t4,t5において、ボタン入力部１に設けられている任意のボタンを押下すると、イヤホンから出力される音声の音量が、「レベル３」、「レベル４」、「レベル５」、「レベル６」と徐々に増加していく（ステップＳ２６がYES、Ｓ２７）。
【００４５】
ユーザは、時刻t5で出力された音声の音量が適切であると判断すると、ボタン操作を中止する。ボタン操作を中止してからVOLタイマのタイムアウト時間が経過すると（ステップＳ２５がYESとなると）、制御手段２２は、ボリューム増加処理を終了するので、それ以降（時刻t6以降）は、ボタン入力部１に設けられている各ボタンを、ボリューム増加処理以外の処理に利用することが可能になる。
【００４６】
次に、外部音声出力機器を外部インタフェース部９から取り外した場合の動作について説明する。
【００４７】
制御部２内の検出手段２３は、外部音声出力機器が外部インタフェース部９から取り外されたことを検出すると、そのことを制御手段２２に通知する。これにより、制御手段２２は、増幅部７に対して、スピーカ１０を出力先としていたときのボリューム値を出力すると共に、出力先がスピーカ１０であることを示す出力先情報を出力する（図４のステップＳ４１）。これにより、増幅部７は、スピーカ１０から出力される音声の音量が上記ボリューム値によって示される音量となるように、音声信号のレベルを変更する。なお、スピーカ１０を出力先としていたときのボリューム値は、例えば、スピーカ１０から外部音声出力機器への切り替え時に、データ記憶部５に記録しておけばよい。
【００４８】
その後、制御手段２２は、切り替え部８に対して、音声信号の出力先を外部インタフェース部９からスピーカ１０に切り替えることを指示する（ステップＳ４２）。これにより、切り替え部８は、増幅部７から供給される音声信号を、スピーカ１０へ供給する。
【００４９】
尚、上述した実施の形態では、ボタンが押下される毎に、ボリューム値を１段階ずつアップするようにしたが、ボタンの連続押下時間が一定時間となる毎にボリューム値を１段階ずつアップするようにしても良い。また、上述した実施の形態では、ボリューム増加処理中に、ボリューム値が最大値になった場合、ボリューム増加処理を終了するようにしたが、スピーカ１０を出力先にしていたときのボリューム値（図３の例では、ボリューム値「レベル８」）に達した場合、ボリューム増加処理を終了するようにしてもよい。また、上述した実施の形態では、説明しなかったが、ボリューム増加処理中に終了ボタン（オンフックボタン）が操作された場合は、ボリューム増加処理を終了するようにしてもよい。
【００５０】
[第１の実施の形態の効果]
本実施の形態によれば、音声信号の出力先をスピーカ１０から外部音声出力機器に切り替える際、外部音声出力機器から出力される音声の音量を、操作性良く、ユーザが望む音量にすることができる。その理由は、ユーザがボタン入力部１に設けられている任意のボタンを押下する毎に、外部音声出力機器から出力される音声の音量を所定量ずつ増加させる制御手段２２を備えているからである。
【００５１】
また、本実施の形態によれば、外部音声出力機器から出力される音声の音量が、ユーザの希望する音量になった場合は、ユーザが特に特別な操作を行わなくとも、ボリューム増加処理を終了させ、ボタン入力部１に設けられている各ボタンを、ボリューム増加処理以外の処理で利用することが可能になる。その理由は、ボタン操作が所定時間（VOLタイマのタイムアウト時間）、行われなかった場合は、ボリューム増加処理を終了させるようにしているからである。
【００５２】
[本発明の第２の実施の形態]
次に、本発明の他の実施の形態について説明する。ここでは、第１の実施の形態との相違点について説明する。
【００５３】
本実施の形態のデータ記憶部５には、設定音量記憶部が設けられている。設定音量記憶部には、携帯電話機が備えている機能であって、出力する音声の音量をユーザが設定可能な機能それぞれについて、その機能に対してユーザが設定した音量を示すボリューム値が記録されている。図５に設定音量記憶部の内容例を示す。この例は、ワンセグ機能、アラーム機能、着信報知機能を利用する際のボリューム値がそれぞれ「８」「２」「４」であることを示している。
【００５４】
また、本実施の形態では、図２のステップＳ２１の処理を行う代わりに、図６のフローチャートのステップＳ６１〜Ｓ６３に示す処理を行っている。
【００５５】
ステップＳ６１では、制御手段２２は、設定音量記憶部に記録されているボリューム値の内、最も小さいものを選択する。設定音量記憶部の内容が図５に示すものであるとすると、制御手段２２は、アラーム機能に対して設定されているボリューム値「２」を選択することになる。
【００５６】
次のステップＳ６２では、制御手段２２は、ステップＳ６１で選択したボリューム値「２」と、音声信号の出力先が外部インタフェース部９であることを示す出力先情報とを増幅部７に対して出力する。
【００５７】
その次のステップＳ６３では、制御手段２２は、表示部１１に、音量の増加方法を示す説明文「ボタン入力部１に設けられているボタンを押下する毎に音量を１段階ずつ増加させることができます」や、現在のボリューム値（この例では、「２」）を表示する。
【００５８】
ステップＳ６３の処理が終了すると、制御手段２２は、前述したステップＳ２２以降の処理を行う。
【００５９】
[第２の実施の形態の効果]
本実施の形態によれば、音声信号の出力先をスピーカ１０から外部音声出力機器に切り替える際に、最初に外部音声出力機器から出力する音声の音量をユーザに合ったものにすることができる。その理由は、音声信号の出力先が外部音声出力機器に切り替えられたとき、音声信号のレベルを、ユーザが音声を出力可能な各機能に対して設定したボリューム値の内の、最も小さいボリューム値に対応したものにする制御手段２２を備えているからである。スピーカ１０から外部音声出力機器への切り替え時に最初に出力する音声の音量を固定的に定めた場合には、耳の良く聞こえないユーザが、音声を聞き取れない場合がある。これに対して、ユーザが設定しているボリューム値は、ユーザが聴きとることができる音量を示していると考えられるので、本実施の形態のように、切り替え時に出力する音声の音量を、設定されているボリューム値の内の最も小さなボリューム値に対応する音量とすることにより、上記した問題はなくなる。
【産業上の利用可能性】
【００６０】
本発明は、携帯電話機、ＰＨＳ、ＰＤＡ等の外部へ音を出力可能な携帯機器に適用すると好適である。
【符号の説明】
【００６１】
１      ボタン入力部
２      制御部
３      送受信部
４      アンテナ
５      データ記憶部
６      信号処理部
７      増幅部
９      外部インタフェース部
１０    スピーカ
１１    表示部
２１    押下ボタン判断手段
２２    制御手段
２３    検出手段
２４    通信制御手段
【図１】
0005777154.tif 000002
【図２】
0005777154.tif 000003
【図３】
0005777154.tif 000004
【図４】
0005777154.tif 000005
【図５】
0005777154.tif 000006
【図６】
0005777154.tif 000007